(57)【要約】【課題】  コンテンツを構成するデジタルデータの配信を利用して利用者の情報を効率よく収集する。【解決手段】  デジタルデータを管理するデータ管理サブシステム１０と、前記データ管理サブシステム１０と通信して前記デジタルデータの配信を受けるデータ受信サブシステム３０とを備え、データ管理サブシステム１０は、デジタルデータの配信に際し間欠的にデータ受信サブシステムに対しアンケートアンケートクエリを発信し、データ受信サブシステム３０はアンケートクエリに対してリプライを発信し、データ管理サブシステム１０は、リプライの受信に応じてデジタルデータの配信を制御する、情報収集システム１。【選択図】  図１
2014126952.tif 000002
【特許請求の範囲】
【請求項１】
デジタルデータを管理するデータ管理サブシステムと、
前記データ管理サブシステムと通信して前記デジタルデータの配信を受けるデータ受信サブシステムとを備え、
前記データ管理サブシステムは、前記デジタルデータの配信に際し間欠的に前記データ受信サブシステムに対しアンケートクエリを発信し、
前記データ受信サブシステムは前記アンケートクエリに対してリプライを発信し、
前記データ管理サブシステムは、前記リプライの受信に応じて前記デジタルデータの配信を制御する、
情報収集システム。
【請求項２】
前記データ受信サブシステムが発信した前記リプライを直接的又は間接的に受信し、登録するリプライ管理サブシステムを更に備え、
前記データ管理サブシステムは、前記リプライ管理サブシステムに共有された前記リプライを利用して前記デジタルデータの配信を制御する、
請求項１に記載の情報収集システム。
【請求項３】
前記アンケートクエリは、それぞれが異なるコンテンツに対応する複数の前記デジタルデータの配信の間に発信されるものである、
請求項１又は２に記載の情報収集システム。
【請求項４】
前記アンケートクエリは同一のコンテンツを構成する前記デジタルデータの配信の間に発信されるものである、
請求項１又は２に記載の情報収集システム。
【請求項５】
前記アンケートクエリは、(イ)前記データ受信サブシステムの利用者に関するもの、（ロ）前記コンテンツに関するもの、（ハ）前記データ管理サブシステムの利用者に関するもの、（ニ）前記リプライ管理サブシステムの利用者に関するものの全部又は一部を含み、
前記アンケートクエリが複数回発信される場合において、
前記（イ）〜（ニ）の少なくとも２つが含まれるものである、
請求項３又は４に記載の情報収集システム。
【請求項６】
前記アンケートクエリは、前記（イ）が最先で発信されるものである、
請求項５に記載の情報収集システム。
【請求項７】
前記アンケートクエリが複数回発信される場合において、
前記アンケートクエリに対する前記リプライの量又は内容に応じて次の前記アンケートクエリの発信の間隔が変化する、
請求項１から６のいずれかに記載の情報収集システム。
【請求項８】
前記データ受信サブシステムにおいては、前記データ管理サブシステムへの最初のアクセスに、光学的又は磁気的読み取り可能なコードが含まれた物理媒体が用いられるものであり、
前記物理媒体には、前記デジタルデータにより構成されるコンテンツに関連する情報が更に表示されている、
請求項７に記載の情報収集システム。
【請求項９】
前記コンテンツに関連する情報は画像情報を含んでいる、
請求項８に記載の情報収集システム。
【請求項１０】
前記物理媒体には、前記リプライ管理サブシステムの利用者が前記データサブ受信システムの利用者に提供する情報が更に表示されている、
請求項７から９のいずれかに記載の情報収集システム。
【請求項１１】
前記リプライ管理サブシステムの利用者が前記データサブ受信システムの利用者に提供する前記情報は、前記リプライ管理サブシステムに登録された情報に基づき作成されたものである、
請求項１０記載の情報収集システム。
【請求項１２】
前記データ受信サブシステムは、
前記コードを読み取る読み取り手段、前記読み取り手段が読み取った前記コードに基づき前記データ受信サブシステムと通信する通信手段、及び前記データを表示する表示手段とを有する可搬性情報端末と、
前記物理媒体とを備えたものである、
請求項７から１１のいずれかに記載の情報収集システム。
【請求項１３】
データ受信サブシステムに配信するデジタルデータを管理するデータ管理サブシステムであって、
前記デジタルデータの配信に際し間欠的に前記データ受信サブシステムに対しアンケートクエリを発信し、
前記データ受信サブシステムから発信される、前記アンケートクエリに対するリプライの受信に応じて前記デジタルデータの配信を制御する、
データ管理サブシステム。
【請求項１４】
デジタルデータを管理するデータ管理サブシステムと、
前記データ管理サブシステムと通信して前記映像コンテンツの配信を受けるデータ受信サブシステムとを用い、
前記データ管理サブシステムにより、前記デジタルデータの配信に際し間欠的に前記データ受信サブシステムに対しアンケートクエリを発信する工程と、
前記データ受信サブシステムより前記アンケートクエリに対して発信されたリプライの受信に応じて前記デジタルデータの配信を制御する工程とを備えた、
情報収集方法。
【請求項１５】
前記データ受信サブシステムによる前記データ管理サブシステムへの最初のアクセスに、光学的又は磁気的読み取り可能なコード及び前記デジタルデータにより構成されるコンテンツに関連する画像情報が表示された物理媒体を用いる、
請求項１４に記載の情報収集方法。
【請求項１６】
請求項１４又は１５に記載の情報収集方法の、
前記データ管理サブシステムにより、前記デジタルデータの配信に際し間欠的に前記データ受信サブシステムに対しアンケートクエリを発信する工程と、
前記データ受信サブシステムより前記アンケートクエリに対して発信されたリプライの受信に応じて前記デジタルデータの配信を制御する工程とをコンピュータにより実行するためのプログラム。
【発明の詳細な説明】
【技術分野】
【０００１】
本発明は、ネットワーク接続された装置間でデジタルデータの授受を介して情報の収集を行う情報収集システム等に関する。
【背景技術】
【０００２】
ネットワークにより映像や音声といったコンテンツを配信するサービスを行うシステムは、端末装置からのリクエストに応じてサーバ装置がコンテンツの配信を行うものであり、当該リクエストに端末装置の利用者にひも付けされるユーザＩＤ、コンテンツＩＤ等を含ませることにより、ハードウェアに依存することなくサービスを提供するものである（例えば特許文献１を参照）。
【０００３】
このようなコンテンツ配信システムは商用利用のみならず、Ｅラーニングのような教育用途等に広く活用されている。
【先行技術文献】
【特許文献】
【０００４】
【特許文献１】特開２００５−２７５７１８号公報
【発明の概要】
【発明が解決しようとする課題】
【０００５】
従来のネットワークを利用したコンテンツ配信システムにおいては、以下のような課題があった。すなわち、コンテンツの商用利用においては、コンテンツは取引対象となる他に、広告媒体としても扱うことができる。この場合、端末装置によるリクエストは利用者に関する情報を収集するツールとして用いられることとなる。
【０００６】
しかしながら、コンテンツの配信方法自体については、上記特許文献のように一度のリクエスト認証によりサービスが提供される等、端末装置とサーバ装置との通信を十分に利用したものとは言えなかった。
【０００７】
本発明は、上記の課題に鑑みてなされたものであり、コンテンツを構成するデジタルデータの配信を利用して利用者の情報を効率よく収集することを可能とする情報収集システム等を提供することを目的とする。
【課題を解決するための手段】
【０００８】
上記の目的を達成するために、本発明の第１の側面は、
デジタルデータを管理するデータ管理サブシステムと、
前記データ管理サブシステムと通信して前記デジタルデータの配信を受けるデータ受信サブシステムとを備え、
前記データ管理サブシステムは、前記デジタルデータの配信に際し間欠的に前記データ受信サブシステムに対しアンケートクエリを発信し、
前記データ受信サブシステムは前記アンケートクエリに対してリプライを発信し、
前記データ管理サブシステムは、前記リプライの受信に応じて前記デジタルデータの配信を制御する、
情報収集システムである。
【０００９】
又、本発明の第２の側面は、
前記データ受信サブシステムが発信した前記リプライを直接的又は間接的に受信し、登録するリプライ管理サブシステムを更に備え、
前記データ管理サブシステムは、前記リプライ管理サブシステムに共有された前記リプライを利用して前記デジタルデータの配信を制御する、
本発明の第１の側面の情報収集システムである。
【００１０】
又、本発明の第３の側面は、
前記アンケートクエリは、それぞれが異なるコンテンツに対応する複数の前記デジタルデータの配信の間に発信されるものである、
本発明の第１又は第２の側面の情報収集システムである。
【００１１】
又、本発明の第４の側面は、
前記アンケートクエリは同一のコンテンツを構成する前記デジタルデータの配信の間に発信されるものである、
本発明の第１又は第２の側面の情報収集システムである。
【００１２】
又、本発明の第５の側面は、
前記アンケートクエリは、(イ)前記データ受信サブシステムの利用者に関するもの、（ロ）前記コンテンツに関するもの、（ハ）前記データ管理サブシステムの利用者に関するもの、（ニ）前記リプライ管理サブシステムの利用者に関するものの全部又は一部を含み、
前記アンケートクエリが複数回発信される場合において、
前記（イ）〜（ニ）の少なくとも２つが含まれるものである、
本発明の第３又は第４の側面の情報収集システムである。
【００１３】
又、本発明の第６の側面は、
前記アンケートクエリは、前記（イ）が最先で発信されるものである、
本発明の第５の側面の情報収集システムである。
【００１４】
又、本発明の第７の側面は、
前記アンケートクエリが複数回発信される場合において、
前記アンケートクエリに対する前記リプライの量又は内容に応じて次の前記アンケートクエリの発信の間隔が変化する、
本発明の第１から第６のいずれかの側面の情報収集システムである。
【００１５】
又、本発明の第８の側面は、
前記データ受信サブシステムにおいては、前記データ管理サブシステムへの最初のアクセスに、光学的又は磁気的読み取り可能なコードが含まれた物理媒体が用いられるものであり、
前記物理媒体には、前記デジタルデータにより構成されるコンテンツに関連する情報が更に表示されている、
本発明の第７の側面の情報収集システムである。
【００１６】
又、本発明の第９の側面は、
前記コンテンツに関連する情報は画像情報を含んでいる、
本発明の第８の側面の情報収集システムである。
【００１７】
又、本発明の第１０の側面は、
前記物理媒体には、前記リプライ管理サブシステムの利用者が前記データサブ受信システムの利用者に提供する情報が更に表示されている、
本発明の第７から第９のいずれかの側面の情報収集システムである。
【００１８】
又、本発明の第１１の側面は、
前記リプライ管理サブシステムの利用者が前記データサブ受信システムの利用者に提供する前記情報は、前記リプライ管理サブシステムに登録された情報に基づき作成されたものである、
本発明の第１０記載の情報収集システムである。
【００１９】
又、本発明の第１２の側面は、
前記データ受信サブシステムは、
前記コードを読み取る読み取り手段、前記読み取り手段が読み取った前記コードに基づき前記データ受信サブシステムと通信する通信手段、及び前記データを表示する表示手段とを有する可搬性情報端末と、
前記物理媒体とを備えたものである、
本発明の第７から第１１のいずれかの側面の情報収集システムである。
【００２０】
又、本発明の第１３の側面は、
データ受信サブシステムに配信するデジタルデータを管理するデータ管理サブシステムであって、
前記デジタルデータの配信に際し間欠的に前記データ受信サブシステムに対しアンケートクエリを発信し、
前記データ受信サブシステムから発信される、前記アンケートクエリに対するリプライの受信に応じて前記デジタルデータの配信を制御する、
データ管理サブシステムである。
【００２１】
又、本発明の第１４の側面は、
デジタルデータを管理するデータ管理サブシステムと、
前記データ管理サブシステムと通信して前記映像コンテンツの配信を受けるデータ受信サブシステムとを用い、
前記データ管理サブシステムにより、前記デジタルデータの配信に際し間欠的に前記データ受信サブシステムに対しアンケートクエリを発信する工程と、
前記データ受信サブシステムより前記アンケートクエリに対して発信されたリプライの受信に応じて前記デジタルデータの配信を制御する工程とを備えた、
情報収集方法である。
【００２２】
又、本発明の第１５の側面は、
前記データ受信サブシステムによる前記データ管理サブシステムへの最初のアクセスに、光学的又は磁気的読み取り可能なコード及び前記デジタルデータにより構成されるコンテンツに関連する画像情報が表示された物理媒体を用いる、
本発明の第１４の側面の情報収集方法である。
【００２３】
又、本発明の第１６の側面は、
本発明の第１４又は第１５の側面の情報収集方法の、
前記データ管理サブシステムにより、前記デジタルデータの配信に際し間欠的に前記データ受信サブシステムに対しアンケートクエリを発信する工程と、
前記データ受信サブシステムより前記アンケートクエリに対して発信されたリプライの受信に応じて前記デジタルデータの配信を制御する工程とをコンピュータにより実行するためのプログラムである。
【発明の効果】
【００２４】
以上のような本発明によれば、コンテンツを構成するデジタルデータの配信を利用して利用者の情報を効率よく収集することを可能とする効果が得られる。
【図面の簡単な説明】
【００２５】
【図１】本発明の実施の形態に係る情報収集システムの構成を示すブロック図
【図２】（ａ）本発明の実施の形態に係る情報収集システムを構成するサーバ装置の構成を示すブロック図（ｂ）本発明の実施の形態に係る情報収集システムを構成する可搬性情報端末の構成を示すブロック図
【図３】本発明の実施の形態に係る情報収集システムのタイムチャートを示す図
【図４】（ａ）本発明の実施の形態に係る情報収集システムにおける商品の構成を示す図（ｂ）本発明の実施の形態に係る情報収集システムにおける商品の構成を示す分解図
【図５】（ａ）本発明の実施の形態に係る情報収集システムにおける情報表示面の構成を示す図（ｂ）本発明の実施の形態に係る情報収集システムにおけるコンテンツの一部分を示す図
【図６】（ａ）本発明の実施の形態に係る情報収集システムにおけるアンケートクエリの表示状態を示す図（ｂ）本発明の実施の形態に係る情報収集システムにおけるアンケートクエリの表示状態を示す図
【図７】本発明の実施の形態に係る情報収集システムにおけるコンテンツ管理データベースサーバ１４の制御動作のフローチャートを示す図
【図８】（ａ）本発明の実施の形態に係る情報収集システムにおけるアンケート項目の一例を示す図（ｂ）本発明の実施の形態に係る情報収集システムにおけるアンケート項目の一例を示す図
【図９】（ａ）本発明の実施の形態に係る情報収集システムにおけるアンケート項目の一例を示す図（ｂ）本発明の実施の形態に係る情報収集システムにおけるアンケート項目の一例を示す図
【図１０】本発明の実施の形態に係る情報収集システムにおけるコンテンツ管理データベースサーバ１４の制御動作のフローチャートを示す図
【図１１】（ａ）本発明の実施の形態に係る情報収集システムにおけるアンケート項目の一例を示す図（ｂ）本発明の実施の形態に係る情報収集システムにおけるアンケート項目の一例を示す図
【図１２】（ａ）本発明の実施の形態に係る情報収集システムにおけるアンケート項目の一例を示す図（ｂ）本発明の実施の形態に係る情報収集システムにおけるアンケート項目の一例を示す図
【発明を実施するための形態】
【００２６】
以下、本発明の実施の形態について図面を参照しながら説明する。
【００２７】
（１．システム構成）
図１は、本発明の実施の形態に係る情報収集システムの構成を示すブロック図である。
【００２８】
図１に示すように、本実施の形態の情報収集システム１は、映像及び／又は音声から構成されるデジタルデータであるコンテンツを提供するデータ管理サブシステム１０と、データ管理サブシステム１０と協働するリプライ管理サブシステム２０と、データ管理サブシステム１０と通信を行いコンテンツの配信をうけるデータ受信サブシステム３０とを備え、各これらサブシステムはインターネットを一例とするネットワーク４０を介して相互通信可能に接続されている。
【００２９】
データ管理サブシステム１０は、コンテンツを提供する事業者（以下、コンテンツ配信業者と称する）が使用、管理する複数のサーバ装置から構成され、データ受信サブシステム３０からの初期アクセスを受ける公開用ウェブサーバ１１と、データ受信サブシステム３０からの、後述する特定入力を受けるデータ個人データベースサーバ１２と、データ受信サブシステム３０に対して電子メールによる返信を行うメールサーバ１３と、コンテンツの管理を行うコンテンツ管理データベースサーバ１４と、コンテンツを実体としてのデジタルデータとして格納するとともに、コンテンツ管理データベースサーバ１４からの制御に基づき配信を行う、コンテンツ配信サーバ１５と、データ受信サブシステム３０の利用者とコンテンツとの対応を管理するマッチングデータベースサーバ１６とを備える。
【００３０】
各サーバとなるサーバ装置は、図２（ａ）に示すように、汎用のコンピュータにより実現される。公開用ウェブサーバ１１を例として、データを記憶する記憶装置１１１、データ処理を実行する演算装置１１２、ネットワーク４０との通信手段である通信Ｉ／Ｆ１１３、装置の利用者が情報入力を行うための、キーボード等の入力装置により実現される操作Ｉ／Ｆ１１４及び処理されるデータを表示するディスプレイ等の表示手段１１５から構成される。
【００３１】
次に、データ受信サブシステム３０は、コンテンツの提供を受ける一般需要者（以下、コンテンツ利用者と称する）により使用されるシステムであって、コンテンツの配信を受けることが可能な汎用のコンピュータとしてのクライアント装置３１又はタブレット、スマートフォンその他の、持ち運び可能な可搬性情報端末３２から構成される。又、データ受信サブシステム３０は、特に可搬性情報端末３２により実現した場合は、これと協働する、後述する商品としての飲料３３を含めて構成されるようにしてもよい。
【００３２】
クライアント装置３１は、データ管理サブシステム１０を構成する各サーバ装置と同様、図２（ａ）に示す内部構成を有する。又、可搬性情報端末３２は、記憶装置１１１、演算装置１１２、通信Ｉ／Ｆ１１３と同等の機能をそれぞれ有する記憶装置３２１、演算装置３２２、通信Ｉ／Ｆ３２３を備え、さらに、ハードウェアとしてはタッチパネル型ディスプレイとして一体化して実現される操作Ｉ／Ｆ３２４及び表示手段３２６とを備える。更に、カメラ又はスキャナその他として実現される、光学的に情報を読み取り、デジタルデータとして処理する入力手段３２５を備える。
【００３３】
次に、リプライ管理サブシステム２０は、データ管理サブシステム１０のコンテンツ配信業者と契約する事業者（以下、アンケート結果利用者と称する）により使用、管理されるシステムであって、マッチングデータベースサーバ１６をデータ管理サブシステム１０と共用するとともに、ネットワーク４０を介してマッチングデータベースサーバ１６にアクセスしてそのデータを取得、処理可能な管理端末装置２１を有する。なお、管理端末装置２１はデータ管理サブシステム１０の各サーバ装置と同様、図２（ａ）に示す内部構成を有する。
【００３４】
以上の説明において、情報収集システム１は本発明の情報収集システムに相当し、データ受信サブシステム３０は本発明のデータ受信サブシステムに相当し、リプライ管理サブシステム２０は本発明のリプライ管理サブシステムに相当する。又、可搬性情報端末３２は本発明の可搬性情報端末に相当し、入力手段３２５は本発明の読み取り手段、通信Ｉ／Ｆ３２３は本発明の通信手段、表示手段３２６は本発明の表示手段に相当する。
【００３５】
このような構成を有する、本発明の実施の形態の情報収集システムの動作を、図３のタイムチャートを参照して説明するとともに、本発明の情報収集方法の一実施の形態について、以下、説明を行う。
【００３６】
（２．システム全体の基本動作）
はじめに、コンテンツ利用者は、データ受信サブシステム３０のクライアント装置３１又は可搬性情報端末３２を操作して、データ管理サブシステム１０への初期アクセスを行う（ステップＳ１）。
【００３７】
初期アクセスとは、コンテンツ利用者が、アンケート結果利用者によりコンテンツ利用者に有償又は無償にて頒布される、公開用ウェブサーバ１１のＵＲＬが記載された印刷物等を参照して、データ受信サブシステム３０により公開用ウェブサーバ１１へアクセスすることをいい、本発明の最初のアクセスに相当するものである。
【００３８】
「印刷物等」とは、公開用ウェブサーバ１１のＵＲＬ又はＵＲＬが対応する、後述する二次元コードが目視可能に表示される媒体であればよく、具体的には、名刺、はがき、チラシその他の有体物である物理媒体、又はインターネット上の各ウェブサイトのデータとして、クライアント装置３１又は可搬性情報端末３２の表示手段１１５又は３２６により表示される表示画面として実現される。
【００３９】
印刷物等として物理媒体を用い、且つ当該物理媒体を商品、宣材又は景品として用いることにより、アンケート利用者は、潜在的な需要者層としての多数のコンテンツ利用者に対して印刷物等を頒布して、データ管理サブシステム１０に対する多くの初期アクセスを獲得するようにしている。
【００４０】
ここで図１及び図４（ａ）（ｂ）に、物理媒体を商品に適用した一例を示す。各図に示すように、飲料３３は、アンケート利用者により販売され、図１中の白矢印で示す流通路４１により市場に流通する商品であって、飲料本体３３１と、飲料本体３３１に装着され、これと一体的に取引される広告タグ３３２とから構成される。広告タグ３３２は紙製又は樹脂フィルム製の紙器であって、台紙部３３２ａ上に飲料本体３３１と組み合わせる為の取付孔３３２ｂが形成されている。
【００４１】
又、台紙部３３２ａの表面は、情報表示欄３３２ｃとして、コンテンツ配信業者が提供するコンテンツに関する情報が印刷画像として表示される。
【００４２】
次に、図５（ａ）に、情報表示欄３３２ｃに表示される情報の一例を示す。２次元コード３３３ａは、公開用ウェブサーバ１１のＵＲＬの文字列を変換してなる被読み取りコードであって、データ受信サブシステム３０の可搬性情報端末３２が有する入力手段３２５により読み取られることで、コンテンツ利用者の操作の手間を省いて公開用ウェブサーバ１１へのアクセスを可能にしている。
【００４３】
又、２次元コード３３３ａに隣接して、コンテンツ関連画像３３３ｂが表示される。コンテンツ関連画像３３３ｂは、後述するコンテンツ配信サーバ１５に格納されたコンテンツに関連した内容の画像である。
【００４４】
特にコンテンツが映画のような映像コンテンツである場合は、図５（ｂ）に示す、表示手段１１５又は３２６により表示される画面５１に表示されるコンテンツ５０の一場面に現れるキャラクター５２の画像が転用、又はキャラクター５２に基づき複製若しくは同一性を保持する程度に改変してなる画像が、コンテンツ関連画像３３３ｂとして用いられる。なお、キャラクター５２に加えて、コンテンツ５０の題名、登場人物その他、コンテンツ５０に関する文字情報を付加的に表示させるようにしてもよい。図中にはコンテンツ５０の題名も併せて表示させた。
【００４５】
更に、情報表示欄３３２ｃにおいては、コンテンツ利用者の便宜の為、コンテンツ関連画像３３３ｂが関連づけられたコンテンツへの視聴の誘導手順並びに２次元コード３３３ａの読み取り方法等が文章として表示されることが望ましい（図示省略）。
【００４６】
このように、飲料３３の購入者は、広告タグ３３２を参照することにより、データ受信サブシステム３０及びコンテンツ５０の存在を知覚させられることとなり、特に可搬性情報端末３２を用いた場合は、２次元コード３３３ａの読み取り操作を行うことにより、コンテンツ利用者として初期アクセスを実行することができる。
【００４７】
一方、アンケート結果利用者としては、コンテンツ配信業者が提供するコンテンツの内容をキャラクター５２として表示するとともに当該コンテンツの視聴へ誘導することが可能な広告タグ３３２を、自らが事業として取り扱う飲料３３その他商品、宣材又は景品に用いることができ、事業の宣伝効果並びに付加価値を高めることが可能となる。
【００４８】
なお、上記の説明において、情報表示欄３３２に表示される２次元コード３３２ａは本発明のコードに対応し、コンテンツ関連画像３３２ｂは本発明のコンテンツに関連する情報の画像情報に関連する。又、情報表示欄３３２に表示される文字情報は、本発明の、データ受信サブシステムの利用者に提供する情報に相当する。
【００４９】
又、情報表示欄３３２には２次元コード３３２ａに加えて、又は併記して、公開用ウェブサーバ１１のＵＲＬ、又は検索エンジン用の公開用ウェブサーバ１１への検索ワードを表示しておいてもよい。この場合、コンテンツ利用者は、可搬性情報端末３２の操作Ｉ／Ｆ３２４や、クライアント装置３１の操作Ｉ／Ｆ１１４への直接入力により、初期アクセスを行うことができる。
【００５０】
以下、データ受信サブシステム３０は可搬性情報端末３２により実現されているものとして説明を続ける。データ管理サブシステム１０においては、データ受信サブシステム３０から公開用ウェブサーバ１１が初期アクセスを受けたことに応じて、可搬性情報端末３２の電子メール操作画面を起動させる（ステップＳ２）。
【００５１】
起動の動作自体は公開用ウェブサーバ１１のＵＲＬに電子メールソフトウェアを起動させるスキームを含ませる、或いはスクリプトを実行させる等の、任意の周知慣用の技術的手段を用いてよい。公開用ウェブサーバ１１がメール機能を実装したＣＧＩを有し、データ受信サブシステム３０からの操作を直接受け入れるようにしてもよい。
【００５２】
このとき、データ受信サブシステム３０側にて送信準備可能な状態となった電子メールは、本文の記載の有無にかかわらず宛先としてメールサーバ１３のメールアドレスが記載された状態で送信可能な、いわゆる空メール状態となっており、コンテンツ利用者の操作に基づき、空メールが送信される（ステップＳ３）。
【００５３】
データ管理サブシステム１０においては、メールアドレスの記載に基づき空メールがメールサーバ１３にて受信されると、メールサーバ１３は当該空メールをデータ個人データベースサーバ１２へ転送する（ステップＳ４）。空メールのヘッダには可搬性情報端末３２にて設定されたコンテンツ利用者のメールアドレスが記載されており、データ個人データベースサーバ１２は閲覧者登録として、このコンテンツ利用者のメールアドレスを自らの記憶装置１１１に記憶する。更に、データ個人データベースサーバ１２は当該コンテンツ利用者のメールアドレスをデータとしてコンテンツ管理データベースサーバ１４に送信する（ステップＳ５）。
【００５４】
一方、メールサーバ１３は空メールに対する返信として、本文にコンテンツ管理データベースサーバ１４のＵＲＬがハイパーリンクとして記載されたメールをデータ受信サブシステム３０に対して送信する（ステップＳ６）。
【００５５】
データ受信サブシステム３０においては、可搬性情報端末３２がメールサーバ１３からのメールを受信し、ＵＲＬが記載された画面を表示させた状態において、操作Ｉ／Ｆ３２４を介したワンクリックの操作により、コンテンツ管理データベースサーバ１４にアクセス可能となる。コンテンツ利用者がワンクリックの動作を行うと、ＵＲＬの宛先であるコンテンツ管理データベースサーバ１４にコンテンツ配信要求のアクセスが行われる（ステップＳ７）。
【００５６】
コンテンツ管理データベースサーバ１４はデータ受信サブシステム３０からのコンテンツ配信要求を受けると、自らの記憶装置１１１を検索して、送信元である可搬性情報端末３２と一意に対応づけられたコンテンツの識別子を選択し、この識別子を参照してコンテンツ配信サーバ１５へ、データ受信サブシステム３０に対するコンテンツの配信を実行させる（ステップＳ８）。
【００５７】
ここで、可搬性情報端末３２へ配信されるコンテンツの識別子と可搬性情報端末３２との対応づけは、以下のようになされている。すなわち、コンテンツの識別子は広告タグ３３２に記載された２次元コード３３３ａのＵＲＬ及び当該ＵＲＬにて同定されるメールサーバ１３のアドレスにあらかじめ紐づけられている、換言すれば、コンテンツ管理データベースサーバ１４に格納されたコンテンツの識別子に基づき公開用ウェブサーバ１１のＵＲＬは設定されている。これにより、一度の初期アクセスにより、特定のデータ受信サブシステム３０へ配信されるコンテンツが一意に特定される。
【００５８】
更に、コンテンツ管理データベースサーバ１４は、ステップＳ５にてデータ個人データベースサーバ１２より可搬性情報端末３２に設定されたコンテンツ利用者のメールアドレスを取得しており、これにより当該メールアドレスとコンテンツ識別子とが一意に対応づけされ、同一のメールアドレスに対して重複的にコンテンツ配信の要求が受理されることを防いでいる。
【００５９】
コンテンツ管理データベースサーバ１４からの実行命令を受けたコンテンツ配信サーバ１５は、コンテンツ管理データベースサーバ１４を経由してデータ受信サブシステム３０へコンテンツの配信を行う（ステップＳ９）。
【００６０】
次に、コンテンツ管理データベースサーバ１４は、コンテンツ配信サーバ１５からのコンテンツの配信状態を常時モニタし、後述する特定のタイミングで配信を停止する制御を行うとともに、コンテンツの配信に替えて、あらかじめ保持したアンケートクエリをデータ受信サブシステム３０に対して送信する（ステップＳ１０）。
【００６１】
ここでアンケートクエリは、データ受信サブシステム３０を構成する各装置上で動作するスクリプトであって、可搬性情報端末３２の表示手段３２６及び操作Ｉ／Ｆ３２４上にてＧＵＩとして機能し、アンケート利用者により設定された、コンテンツ利用者に対するアンケートを表示するとともに、当該アンケートへのリプライ（回答）の入力を受付けるものである。
【００６２】
図６（ａ）に、可搬性情報端末３２の画面５１上に、コンテンツ５０の画面から遷移して表示されたアンケートクエリの一例を示す。アンケートクエリ６０は、アンケートの基本項目を表示する基本項目表示欄６１、基本項目表示欄６１の各項目に対応したリプライの選択肢を表示する選択肢表示欄６２、コンテンツ利用者が選択肢を入力する回答入力欄６３、及びリプライの送信を指示する送信ボタン６４から構成される。
【００６３】
図６（ａ）に示すように、アンケートクエリの内容は、アンケート利用者が販売する飲料３３に関連したものであり、図中に示したものの他、アンケート利用者側の設定により任意の種類、個数とすることができる。なお、回答入力欄６３は、コンテンツ利用者の操作を容易にする為、選択型のインタフェースであるとしたが、フリーに文字入力が可能な欄として設けてもよい。
【００６４】
このようなアンケートクエリ６０に対し、コンテンツ利用者が、操作Ｉ／Ｆ３２４の操作により、基本項目表示欄６１に表示される各項目について、選択枝表示欄６２から選んだ選択肢を番号として回答入力欄６３に入力し、入力完成後、送信ボタン６４をクリックすることにより、リプライがデータとしてデータ管理サブシステム１０に送信される（ステップＳ１１）。
【００６５】
コンテンツ管理データベースサーバ１４はデータ受信サブシステム３０からリプライを受信すると、この結果をマッチングデータベースサーバ１６へ転送し（ステップＳ１２）、次いでコンテンツ配信サーバ１５に対して、コンテンツの配信を再開させる制御を行う（ステップＳ１３）。コンテンツ配信サーバ１５はデータ受信サブシステム３０へコンテンツを配信し（ステップＳ１４）、コンテンツ利用者は可搬性情報端末３２によるコンテンツの視聴を再開することができる。なお、マッチングデータベースサーバ１６は、コンテンツ管理データベースサーバ１４を介してではなく、データ受信サブシステム３０から直接リプライを受信するようにしてもよい。
【００６６】
このように、情報収集システム１においては、データ管理サブシステム１０によるコンテンツの配信を、アンケートクエリの発信及びこれに対するデータ受信サブシステム３０からのリプライによって制御することで、コンテンツの配信を介してコンテンツ利用者に関する情報の収集を容易とし、且つ、コンテンツの広告宣伝機能を高めるようにしている。
【００６７】
又、リプライが、リプライ管理サブシステム２０と共用されるマッチングデータベースサーバ１６に収集されるため、アンケート結果利用者は管理端末装置２１を介してマッチングデータベースサーバ１６からこれを取得することにより、飲料３３の購入者であるコンテンツ利用者に関する情報を得て、事業にフィードバックさせることができる。具体的には、情報表示欄３３２に表示される文字情報を当該リプライに含まれる情報に基づき作成することで、情報収集システム１による情報の流れを商品の流通や研究開発にリンクさせて、商品及び顧客へのサービスの品質の向上に資することが可能となる。
【００６８】
（３．リプライに基づくコンテンツ配信の制御動作（１））
次に、本実施の形態の情報収集システムにおいては、ステップＳ１の初期アクセスに基づくコンテンツ配信において、ステップＳ９〜Ｓ１４に対応する動作を複数回行わせることにより、コンテンツの配信を更に精密に制御することで、リプライの回収率を高めるようにしている。
【００６９】
図７は、情報収集システム１のステップＳ９〜ステップＳ１４の各動作において、データ管理サブシステム１０のコンテンツ管理データベースサーバ１４によるコンテンツ配信制御を示すフローチャートである。
【００７０】
以下、図７を参照して説明を行う。なお、以下の説明においては、一例として、情報収集システム１において、一度の初期アクセスにより複数のコンテンツ（短編映画作品）を構成するデジタルデータの配信を行う場合の動作を示す。
【００７１】
はじめに、システム全体のステップＳ９に対応するステップ１０１として、コンテンツ管理データベースサーバ１４は、コンテンツ配信サーバ１５にコンテンツ配信開始の制御をさせた後、配信されるコンテンツをモニタし、あらかじめ定めた個数の番組に対応するコンテンツが配信されたかどうかを判定する（ステップ１０２）。
【００７２】
配信完了が確認された場合は、システム全体のステップＳ１０に対応する動作として、コンテンツ管理データベースサーバ１４は、コンテンツ配信サーバ１５にコンテンツ配信停止の制御をさせるとともに、データ受信サブシステム３０の可搬性情報端末３２に対して、アンケートクエリを発信する（ステップ１０３）。
【００７３】
次いで、システム全体のステップＳ１１としてアンケートクエリに対するデータ受信サブシステム３０からリプライが受信されたかどうかを確認し（ステップ１０４）、受信が確認できた場合は、全てのアンケートクエリが発信されたかどうかを確認する（ステップ１０５）。
【００７４】
ここで、本実施の形態におけるアンケートクエリは、一度の初期アクセスによるコンテンツの配信に際して、複数回数発信され、アンケート毎にデータ受信サブシステム３０からのリプライを取得することを目的としている。
【００７５】
図８及び図９に、アンケートクエリの基礎となるアンケート項目の一例を示す。図８（ａ）に示すアンケート項目１４１は、コンテンツ利用者に関する問い合わせ事項１４１ａを問い合わせるものであり、図６（ａ）に示すＣＧＩにおいては、利用者の文字入力による回答を求めるものとして設定される。
【００７６】
又、図８（ｂ）に示すアンケート項目１４２は、飲料３３のような、アンケート結果利用者が提供しコンテンツ利用者が購入した商品に関する問い合わせ事項１４２ａを問い合わせるものであり、問い合わせ事項１４２ａに記載された各項目については、図６（ａ）に示すＣＧＩにおいては回答入力欄６３への選択入力を受付けるための選択肢１４２ｂも併せてあらかじめ設定されている（選択肢の内容の詳細は図示省略）。
【００７７】
更に、図９（ａ）に示すアンケート項目１４３は、コンテンツそれ自身及びコンテンツ配信業者に関する問い合わせ事項１４３ａを問い合わせるものである。ここでは、配信中のコンテンツ５０（映画）に関する情報であって、コンテンツ５０に登場するキャラクター５２をフィーチュアした商品に関する問い合わせ及びコンテンツ配信業者が保有する、コンテンツ利用者に配信を希望するコンテンツについての問い合わせから構成され、アンケート項目１４２同様、選択肢１４４ｂも併せて設定される。
【００７８】
又、図９（ｂ）に示すアンケート項目１４４は、アンケート結果利用者に関する問い合わせ事項１４４ａを問い合わせるものである。ここでは、広告タグ３３２が付された飲料３３同様、アンケート結果利用者が扱う商品に関する情報であって、アンケート結果利用者が企画中又は販売検討中である商品についての問い合わせ、及びアンケート結果利用者が現在実際に販売している飲料３３以外の商品についての問い合わせから構成され、アンケート項目１４２及び１４３同様、選択肢１４４ｂも併せて設定される。
【００７９】
情報収集システム１においては、これら複数のアンケート項目１４１〜１４４に基づき設定されるアンケートクエリが、複数のコンテンツの配信の間に逐次的に挿入されて、データ受信サブシステム３０に発信され、コンテンツ利用者の操作に基づくリプライの受信に応じて、コンテンツが間欠的に配信されるようになっている。
【００８０】
ここで、データ受信サブシステム３０によるリプライは、一回のアンケートクエリにおいて問い合わせ事項の全てに回答することが求められるのではなく、一定の個数以上の回答ができれば成立するものとすることが望ましい。コンテンツ利用者の心理に鑑みて、リプライのための操作の煩わしさがコンテンツの視聴意欲を削ぐ恐れがあるからである。
【００８１】
一例として図６（ａ）に示すＣＧＩを参照して、基本項目表示欄６１に表示される４つの問い合わせ事項のうち、少なくとも２つについて回答入力欄６３に回答の入力が行われれば、送信ボタン６４が入力可能な状態になるようにすればよい。このとき、送信ボタン６４の動作の可不可は、送信ボタン６４自身の色の変更等によって、コンテンツ利用者が視覚的に理解できるように表示する。又、送信ボタン６４の動作の可不可は音声信号を併せて、又は置き換えて使って示すようにしてもよい。
【００８２】
再び図７のフローチャートに戻り、ステップ１０５において全てのアンケートクエリが発信されたことを確認すると、コンテンツ管理データベースサーバ１４は、直前のステップ１０４により受信したリプライが最後のアンケートに対するリプライであると判断し、コンテンツ配信サーバ１５に対して、最後のコンテンツの配信を実行させる制御を行う（ステップ１０６）。
【００８３】
なお、上記の説明においては、複数のアンケートクエリの発信順序は特定しておらず、コンテンツ配信業者又はアンケート結果利用者側にて任意に設定するようにしてもよい。しかしながら、コンテンツ利用者の意欲が新鮮なうちに、重要性が高いと思われるアンケート項目を時系列的に先に発信することが、アンケート結果利用者が必要とする情報を、より確実に取得することができる可能性を向上させることができ、好適である。この一例としては、アンケートクエリの発信順序を、少なくともアンケート項目１４１が最も早くなるよう行うことが望ましい。コンテンツ利用者の最も直接的な情報が得られるからである。後のアンケート項目については任意であってよいが、例えば、アンケート項目１４３、１４２、１４４の順とすることができる。
【００８４】
なお、アンケート項目１４１は、本発明の（イ）データ受信サブシステムの利用者に関するもの、に相当し、アンケート項目１４２及び１４４は、本発明の（ニ）リプライ管理サブシステムの利用者に関するもの、に相当する。又、アンケート項目１４３は、本発明の（ロ）コンテンツに関するもの、及び（ハ）前記データ管理サブシステムの利用者に関するもの、の双方を含んでいるが、本発明は上記の説明に限定されるものではなく、アンケート項目は、上記（イ）〜（ハ）の各項目を独立して設定し、これに応じたアンケートクエリをそれぞれ発信するようにしてもよい。特にこの場合は、（イ）、（ハ）、（ロ）、（ニ）の順序で発信することが好適である。
【００８５】
又、上記の説明においては、アンケートクエリは４つのアンケート項目１４１〜１４４からそれぞれ構成されるものとしたが、アンケート項目の個数は任意であってよく、少なくとも２つのアンケート項目を含むことが望ましい。
【００８６】
（４．リプライに基づくコンテンツ配信の制御動作（２））
次に、リプライに基づくコンテンツ配信制御の他の例について説明する。
【００８７】
図１０は、情報収集システム１のステップＳ９〜ステップＳ１４の各動作において、データ管理サブシステム１０のコンテンツ管理データベースサーバ１４が行うコンテンツ配信制御を示すフローチャートである。
【００８８】
以下、図１０を参照して説明を行う。なお、以下の説明においては、一例として、情報収集システム１において、一度の初期アクセスにより一つのコンテンツ（長編映画作品）を構成するデジタルデータの配信を行う場合の動作を示す。
【００８９】
はじめに、制御動作（１）のステップ１０１と同一内容のステップ２０１において、コンテンツ管理データベースサーバ１４は、コンテンツ配信サーバ１５にコンテンツ配信開始の制御をさせた後、配信されるコンテンツをモニタし、あらかじめ定めた所定時間分が配信されたかどうかを判定する（ステップ２０２）。ここで所定時間のモニタは、実際に配信されるデジタルデータのデータ量の計測や、ストリーム又はパケット化されたデータに含まれる特定のフラグを検出、計数する等の方法を用いることができる。
【００９０】
所定時間の配信が確認された場合は、制御動作（１）のステップ１０３と同様、コンテンツ管理データベースサーバ１４は、コンテンツ配信サーバ１５にコンテンツ配信の一時停止の制御をさせるとともに、データ受信サブシステム３０の可搬性情報端末３２に対して、アンケートクエリを発信し（ステップ２０３）、当該アンケートクエリに対するデータ受信サブシステム３０からリプライが受信されたかどうかを確認する（ステップ２０４）。
【００９１】
ここで、図１１及び図１２に、本実施の形態におけるアンケートクエリの基礎となるアンケート項目の一例を示す。アンケート項目１４５〜１４８は、それぞれ制御動作（１）におけるアンケート項目１４１〜１４４とそれぞれ同一内容のアンケート項目１４５ａ〜１４８ａ及び選択肢１４６ｂ〜１４８ｂに加えて、各アンケート項目の個別問い合わせ事項に応じて、重要度１４５ｂ、１４６ｃ〜１４８ｃが更に設定されている。
【００９２】
重要度は、データ受信サブシステム３０側においてコンテンツ利用者に対して表示されないデータであって、後述するリプライの集計に用いられるパラメータである。本実施形態においてはアンケート結果利用者の要望に応じてＡ、Ｂ、Ｃの三段階で設定されるものとし、アルファベット降順にて重要度は高くなっている。すなわち、Ａがもっとも重要度が高く、Ｂ、Ｃの順に低くなる。なお、段階の数は任意に設定してよい。
【００９３】
図１１（ａ）に示すアンケート項目１４１の問い合わせ事項１４５ａにおいては、重要度１４５ｂの各段階は、ナンバリングされた事項毎に、各項目の具体的な内容を勘案して設定される。又、図１１（ｂ）及び図１２（ａ）（ｂ）に示すアンケート項目１４１の問い合わせ事項１４６ａ〜１４８ａにおいては、重要度１４６ｃ〜１４８ｃの各段階は、選択肢１４６ｂ〜１４８ｂにおける各項目の枝数に応じて設定され、枝数の多いものに、より高い重要度を割り当てている。
【００９４】
情報収集システム１においては、これらの重要度が割り当てられたアンケートクエリが、データ受信サブシステム３０に発信される。
【００９５】
再び図１０のフローチャートに戻り、ステップ２０４においてリプライが受信されたことを確認すると、コンテンツ管理データベースサーバ１４は、リプライにおいて、入力された回答に対応する重要度を集計する（ステップ２０５）。具体的には、各重要度を数値化して演算（加算、乗算等）し、大きな値を得られた場合には、次のコンテンツ配信における配信時間を大きく、小さな値を得られた場合には、次のコンテンツ配信における配信時間を小さく設定する。
【００９６】
これにより、リプライ管理サブシステム２０のアンケート結果利用者にとって有益となるリプライが成された場合は、コンテンツを長時間視聴することができる一方で、回答の項目数が少ない、又は選択に比較的手間がかからない回答を多く含むリプライがなされた場合は、コンテンツの視聴が直ちに次のアンケートクエリの受信で遮られることとなる。
【００９７】
次に、ステップ２０４により受信したリプライが最後のアンケートクエリに対するリプライでない場合は（ステップ２０７）、再びステップ２０１〜２０６の動作を実行する。一方、ステップ２０７におけるリプライが最後のアンケートクエリに対するリプライである場合は、全てのアンケートクエリに対するリプライに含まれる重要度を総計し（ステップ２０８）、総計した値が所定値以上かどうかを判断する（ステップ２０９）。
【００９８】
総計した値が所定値以上である場合は、コンテンツ配信サーバ１５に対してコンテンツを最後まで配信させる制御を行い（ステップ２１０）、所定値に満たない場合は、コンテンツ配信サーバ１５に対してコンテンツの配信を停止させる制御を行う（ステップ２１１）。
【００９９】
このように、制御動作（２）においては、データ管理サブシステム１０から発信するアンケートクエリに重要度を設定することにより、データ受信サブシステム３０のコンテンツ利用者によるリプライの程度に応じて、当該リプライの後に配信されるコンテンツの配信時間の長短を調整し、あるいは視聴途中でコンテンツの配信を停止させる。
【０１００】
その結果、長時間の連続視聴を欲するコンテンツ利用者と、リプライの回収を目的とするリプライ管理サブシステム２０のアンケート結果利用者との間の利益のバランスを保ちつつ、アンケート結果利用者にとって十分有益となるリプライを収集することができる。
【０１０１】
なお、上記の説明において、重要度は、本発明のリプライの量又は内容に相当するものであるが、これはリプライが選択肢１４２ｂ等により構成される場合に特に好適である。
【０１０２】
一方で、リプライをコンテンツ利用者による文字入力により構成する場合においては、項目毎のパラメータとしての重要度に代えて、「リプライの量」として、リプライに含まれる文字数又はデータ量（バイト数）の多寡に基づきコンテンツの配信時間の長短を調整するようにしてもよい。又、「リプライの内容」として、記憶装置１１１にあらかじめ適切な語句を記憶しておき、リプライに含まれる用語と照合することにより、リプライの品質を評価するようにしてもよい。
【０１０３】
又、上記の説明においては、ステップ２０９及び２１１において、重要度の総計が所定値に達しない場合はコンテンツの配信を停止させるものとしたが、これに代えて、今までに発信したアンケートクエリであって、リプライにおいて回答が得られなかったものを再抽出して新たなアンケートクエリを生成し、これを送信するようにしてもよい。当該新たなアンケートクエリに対してデータ受信サブシステム３０からリプライが得られた場合は、これに基づき残余時間が調整されたコンテンツの一部をなすデジタルデータが配信されることとなり、コンテンツ利用者はコンテンツの視聴を継続することができ、アンケート結果利用者もリプライを更に収集することが可能となる。
【０１０４】
なお、上記の説明においては、一度の初期アクセスにより一つのコンテンツ（長編映画作品）の配信を行うものとして説明を行ったが、制御動作（１）の場合と同様、一度の初期アクセスにより複数のコンテンツ（短編映画作品）の配信を行うものとしてもよい。この場合、ステップ２０６は、配信時間の制御に代えて、一度に配信するコンテンツの個数を変更するようにする。同様に、制御動作（２）の場合においても、一度の初期アクセスにより一つのコンテンツを配信するものとしてよく、この場合は、あらかじめ当該コンテンツの配信時間を一定長又は不定長に分割して逐次配信すればよい。
【０１０５】
以上のように、本実施の形態の情報収集システム１によれば、コンテンツの配信をデータ管理サブシステム１０とデータ受信サブシステム３０との間のアンケートクエリとこれに対応したリプライの授受に基づき制御することにより、コンテンツ利用者のコンテンツ視聴意欲を利用して、アンケートクエリの回収を容易に行うことを可能としている。
【０１０６】
このような情報収集システム１を用いることにより、リプライ管理サブシステム２０を利用するアンケート結果利用者は、自らが事業として扱う飲料３３の様な商品、宣材又は景品に、データ管理サブシステム１０へのアクセスを誘導する広告タグ３３２を付し流通させることにより、コンテンツ配信業者が保持するコンテンツを広告として、事業に必要となる情報を容易に収集することが可能となり、且つ、顧客であるデータ受信サブシステム３０の利用者を市場に誘導することができる。
【０１０７】
又、データ受信サブシステム３０を利用するコンテンツ配信業者は、アンケート結果利用者と共同してシステムを運営することにより、コンテンツの提供による収益を、アンケート結果利用者から得る等のビジネスモデルを実現することができる。
【０１０８】
しかしながら、本発明は上記の実施の形態に限定されるものではない。
【０１０９】
上記の説明においては、データ管理サブシステム１０のコンテンツ管理データベースサーバ１４からアンケートクエリが送信される間、データ受信サブシステム３０のクライアント装置３１又は可搬性情報端末３２においては、図６（ａ）に示すように、コンテンツ５０から遷移したアンケートクエリ６０が画面５１の全面に表示されるものとしたが、アンケートクエリは、コンテンツの配信を一時停止した状態において表示されていればよく、その具体的な態様に限定されるものではない。
【０１１０】
一例として、図６（ｂ）に示すアンケートクエリ７０は、画面５１上に、コンテンツ５０の外縁を取り巻くＬ字状に表示され、図６（ａ）に示す例の基本項目表示欄６１及び選択枝表示欄６２の情報を複合して表示する複合表示欄７１、回答入力欄６３及び送信ボタン６４とそれぞれ同等の機能を有する回答入力欄７２、及び送信ボタン７３から構成される。アンケート回答中は、コンテンツ５０は静止画像として表示され、送信ボタン７３の入力を経て、コンテンツ管理データベースサーバ１４がリプライを受信したことを確認した後に、画面５１上に全画面表示されるととともに、続きが再生される。
【０１１１】
又、上記の説明においては、広告タグ３３２は、データ管理サブシステム１０への初期アクセスを行わせるための２次元コード３３３ａが表示されているものとしたが、可搬性情報端末３２の入力手段３２５のような光学的な読み取り手段により読み取り可能であれば、バーコードその他任意のフォーマットのコードを用いてもよい。更に、光学的に読み取りされるコードに代えて、ＩＣタグのような、磁気的に読み取りされるコードを用いてもよい。この場合は、データ受信サブシステム３０におけるクライアント装置３１又は可搬性情報端末３２は、磁気的に読み取り可能な入力手段を備えるものとする。
【０１１２】
更に、広告タグ３３２は、飲料３３の飲料本体３３１に組み合わせて用いられるものとしたが、本発明の物理媒体は、商品又は商品の包装と一体化した態様であってもよい。したがって、本発明のコードやコンテンツに関する情報は、商品の模様その他の意匠として実施されるものであってよい。
【０１１３】
又、上記の説明においては、データ管理サブシステム１０は、複数のサーバ装置である、公開用ウェブサーバ１１、データ個人データベースサーバ１２、メールサーバ１３、コンテンツ管理データベースサーバ１４、コンテンツ配信サーバ１５、マッチングデータベースサーバ１６から構成されるものとしたが、本発明のデータ管理データ管理サブシステムは、少なくともデータ受信サブシステムとの通信に基づき、データ受信サブシステムからのリプライに応じてコンテンツを間欠的に配信することができれば、その具体的な構成によって限定されるものではない。
【０１１４】
従って、上述した図３に示すデータ管理サブシステム１０のステップＳ２〜Ｓ１０及びＳ１２〜Ｓ１４の各ステップ、並びに図７及び図１０に例示されるコンテンツ管理データベースサーバ１４の各ステップは、単体又は任意個数のサーバ装置に集約又は分散して実行する構成として実現してもよい。更に、本発明の情報収集システムは、少なくともデータ管理サブシステムとデータ受信サブシステムの２つのサブシステムから構成されるものとしてもよい。
【０１１５】
又、上記の説明においては、情報収集システム１は、データ管理サブシステム１０、リプライ管理サブシステム２０及びデータ受信サブシステム３０から構成され、それぞれのデータ管理サブシステム１０は個々に独立した事業者又は需要者により利用されるものとしたが、データ管理サブシステム１０及びリプライ管理サブシステム２０を同一の事業者が利用する構成としてもよい。
【０１１６】
又、上記の説明においては、情報収集システム１は、重要度に基づき配信するコンテンツの数又はコンテンツの配信時間の長短を調整するものとしたが、アンケートクエリの発信順序を入れ替える制御を行うようにしてもよい。この場合、アンケート結果利用者は重要度に応じて必要とするリプライを早急に取得することを可能となる。又はコンテンツの配信順序を入れ替える制御を行ってもよい。これは特に複数のコンテンツから構成されたデジタルデータの配信において、コンテンツ利用者にとって有益なコンテンツを迅速に提供できる効果をもたらす。
【０１１７】
又、上記の説明においては、データ個人データベースサーバ１２にて保持される、データ受信サブシステム３０のコンテンツ利用者とデータ管理サブシステム１０が配信するコンテンツとの対応は、データ受信サブシステム３０からの電子メールを利用するものとしたが、コンテンツ利用者個人を特定可能な通信手段であればよく、したがって、電話番号やＩＤを用いたＳＭＳ（ショート・メッセージ・サービス）やＳＮＳ（ソーシャル・ネットワーキング・サービス）を利用するものとしてもよい。
【０１１８】
更に、上記の説明においては、本発明のデジタルデータにより構成されるコンテンツは映画であるとしたが、映像、音楽、ゲーム、電子書籍その他の著作物、その他視覚又は聴覚にて認識しうる任意のコンテンツを配信対象としてもよい。
【０１１９】
又、本発明は、上述した本発明の情報収集方法の全部又は一部の工程の動作をコンピュータにより実行させるためのプログラムであって、コンピュータと協働して動作するプログラムであってもよく、当該プログラムが、コンピュータにより読み取り可能且つ読み取られた当該プログラムがコンピュータと協動して前記動作を実行する記録媒体に記録された態様であってもよい。
【０１２０】
なお、本発明の上記「一部の工程」とは、それらの複数の工程の内の幾つかの工程を意味し、あるいは、一つの工程の内の一部の動作を意味するものである。
【０１２１】
又、本発明のプログラムの一利用形態は、記録媒体に担持された状態でコンピュータにより読みとられ、当該コンピュータと協働して動作する態様であっても良い。ここでコンピュータとは、ＣＰＵ等の純然たるハードウェアに限らず、ファームウェアや、ＯＳ、更に周辺機器を含むものであっても良い。又、記録媒体とは、光ディスク、光磁気ディスク、磁気ディスク、不揮発性メモリその他、本発明のプログラムを、外部からのアクセス可能であって固定的に担持可能な媒体を意味するものである。
【０１２２】
したがって、本発明の構成は、ソフトウェア的に実現しても良いし、ハードウェア的に実現しても良い。
【０１２３】
要するに、本発明の要旨を逸脱しない範囲内であれば、以上説明したものを含め、上記実施の形態に種々の変更を加えてもよい。
【産業上の利用可能性】
【０１２４】
以上のような本発明によれば、コンテンツを構成するデジタルデータの配信を利用して利用者の情報を効率よく収集することが可能となり、インターネットを利用したビジネスにおいて特に有用である。
【符号の説明】
【０１２５】
１  情報収集システム
１０  データ管理サブシステム
１１  公開用ウェブサーバ
１２  データ個人データベースサーバ
１３  メールサーバ
１４  コンテンツ管理データベースサーバ
１５  コンテンツ配信サーバ
１６  マッチングデータベースサーバ
２０  リプライ管理サブシステム
２１  管理端末装置
３０  データ受信サブシステム
３１  クライアント装置
３２  可搬性情報端末
３３  飲料
４０  ネットワーク
４１  流通路
５０  コンテンツ
５１  画面
５２  キャラクター
６０、７０  アンケートクエリ
６１  基本項目表示欄
６２  選択肢表示欄
６３、７２  回答入力欄
６４、７３  送信ボタン
７１  複合表示欄
１１１、３２１  記憶装置
１１２、３２２  演算装置
１１３、３２３  通信Ｉ／Ｆ
１１４、３２４  操作Ｉ／Ｆ
１１５、３２６  表示手段
１４１-１４８  アンケート項目
１４５ａ-１４８ａ  アンケート項目
１４６ｂ-１４８ｂ  選択肢
１４５ｂ、１４６ｃ-１４８ｃ  重要度
３２５  入力手段
３３１  飲料本体
３３２  広告タグ
３３２ａ  台紙部
３３２ｂ  取付孔
３３２ｃ  情報表示欄
３３３ａ  ２次元コード
３３３ｂ  コンテンツ関連画像
【図１】
2014126952.tif 000003
【図２】
2014126952.tif 000004
【図３】
2014126952.tif 000005
【図４】
2014126952.tif 000006
【図５】
2014126952.tif 000007
【図６】
2014126952.tif 000008
【図７】
2014126952.tif 000009
【図８】
2014126952.tif 000010
【図９】
2014126952.tif 000011
【図１０】
2014126952.tif 000012
【図１１】
2014126952.tif 000013
【図１２】
2014126952.tif 000014